(57)【要約】      （修正有）【課題】ヘッドが当たるまで押し下げても通常より少ない量の液体をポンプ式液体吐出容器から吐出させることのできる液体吐出量調節具および調節具セットを提供する。【解決手段】液体吐出量調節具１は、ポンプ式液体吐出容器のピストン軸に装着して上下動を制限し、容器本体内の液体の吐出量を調節する調節具であって、軟質材料で弾性変形自由に形成された板状本体２を備えて成り、板状本体に、ピストン軸を挿通自在に収容するために上下貫通して形成された軸挿通用穴３と、軸挿通用穴と板状本体の外部Ｇとを連通するスリット部４とが形成され、スリット部をはさんで対面する部位２Ｄが引き離されることにより、スリット部の間隔Ｐ０がピストン軸の直径よりも大きくなるように構成されている。【選択図】図１
0003193852.tif 000002
【実用新案登録請求の範囲】
【請求項１】
容器本体の上面開口部に嵌合させた蓋筒体から容器本体内へシリンダを垂設するとともに、ノズル付きヘッドを上端部に有するピストン軸を前記シリンダ内から上向きに立設させ、前記ピストン軸の上下動により容器本体内の液体をノズルから吐出するように構成されたポンプ式液体吐出容器からの、液体の吐出量を調節する液体吐出量調節具であって、
軟質材料で弾性変形自由に形成された板状本体を備えて成り、当該板状本体に、前記ピストン軸を挿通自在に収容するために上下貫通して形成された軸挿通用穴と、当該軸挿通用穴と前記板状本体の外部とを連通するスリット部とが形成され、当該スリット部をはさんで対面する部位の板状本体が引き離されることにより、前記スリット部の間隔が前記ピストン軸の直径よりも大きくなるように構成されていることを特徴とする液体吐出量調節具。
【請求項２】
板状本体の外周面に、当該容器本体内の液体の種類を識別するための識別突起が形成されていることを特徴とする請求項１に記載の液体吐出量調節具。
【請求項３】
請求項２に記載の液体吐出量調節具と、板状本体の外周面が平坦に形成されている液体吐出量調節具と、から構成されていることを特徴とする調節具セット。
【考案の詳細な説明】
【技術分野】
【０００１】
本考案は、ポンプ式液体吐出容器に装着されて液体吐出量を調節する液体吐出量調節具およびこれを用いた調節具セットに関するものである。
【背景技術】
【０００２】
従来、この種のポンプ式液体吐出容器としては、例えば下記の特許文献１に記載されたものが知られている。この文献記載のポンプ式液体吐出容器は、容器本体の上面開口部に嵌合させた蓋筒体から容器本体内へシリンダが垂設されている。ノズル付きヘッドを上端部に有するピストン軸がシリンダ内から上向きに立設されている。そして、ピストン軸の上下動により、容器本体内のシャンプーなどの液体がピストンおよび逆止弁の作用により汲み上げられピストン軸内を経てヘッドのノズルから外部へ吐出されるように成っている。
このポンプ式液体吐出容器では、ヘッドの下面が蓋筒体の上面に当たるまでの、ピストン軸のストロークは一定である。すなわち、前記の規定ストロークでピストン軸を押し下げている限り、液体の吐出量も一定である。
【先行技術文献】
【特許文献】
【０００３】
【特許文献１】特開２００５−３２００４５号公報（段落［００１８］〜［００２１］および図１参照）
【考案の概要】
【考案が解決しようとする課題】
【０００４】
ところで、一般に老若、男女、あるいは個人差によって、毛髪量は異なる。そして、洗髪で要求されるシャンプーやリンスの量も当然に異なる。また、規定ストロークの途中でヘッドの押し下げ動作を止めることは煩わしいことから、利用者は一気に規定ストロークまで押し下げている場合が多い。
しかしながら、このように一気に押し下げられて吐出された液体の量は、実際の洗髪で要求されるシャンプーやリンスの量よりも多すぎる場合がよくあり、資源の無駄につながっている。
【０００５】
本考案は、上記した従来の問題点に鑑みてなされたものであって、ヘッドを当たるまで押し下げても通常の吐出量より少ない量の液体をポンプ式液体吐出容器から吐出させることのできる液体吐出量調節具および調節具セットの提供を目的とする。
【課題を解決するための手段】
【０００６】
上記目的を達成するために、本考案に係る液体吐出量調節具は、容器本体の上面開口部に嵌合させた蓋筒体から容器本体内へシリンダを垂設するとともに、ノズル付きヘッドを上端部に有するピストン軸を前記シリンダ内から上向きに立設させ、前記ピストン軸の上下動により容器本体内の液体をノズルから吐出するように構成されたポンプ式液体吐出容器からの、液体の吐出量を調節する液体吐出量調節具であって、軟質材料で弾性変形自由に形成された板状本体を備えて成り、当該板状本体に、前記ピストン軸を挿通自在に収容するために上下貫通して形成された軸挿通用穴と、当該軸挿通用穴と前記板状本体の外部とを連通するスリット部とが形成され、当該スリット部をはさんで対面する部位の板状本体が引き離されることにより、前記スリット部の間隔が前記ピストン軸の直径よりも大きくなるように構成されていることを特徴とする構成にしてある。
【０００７】
また、前記構成において、板状本体の外周面に、当該容器本体内の液体の種類を識別するための識別突起が形成されていることを特徴とするものである。
【０００８】
そして、本考案に係る調節具セットは、請求項２に記載の液体吐出量調節具と、板状本体の外周面が平坦に形成されている液体吐出量調節具と、から構成されていることを特徴とするものである。
【考案の効果】
【０００９】
本考案に係る液体吐出量調節具によれば、軟質材料製の板状本体に、ポンプ式液体吐出容器のピストン軸を挿通自在に収容するために上下貫通して形成された軸挿通用穴と、軸挿通用穴と板状本体の外部とを連通するスリット部とが形成されているので、スリット部をはさんで対面する部位の板状本体が撓められて引き離されることにより、スリット部の間隔がピストン軸の直径よりも拡げられる。これにより、拡げられたスリット部にピストン軸を通し更に軸挿通用穴に到達させることができる。その結果、液体吐出量調節具の厚さぶんピストン軸のストロークを短くでき、ノズルからの液体吐出量を少なくして節約することができる。
【００１０】
また、板状本体の外周面に識別突起が形成されているものでは、利用者が手などで識別突起に触れるだけで、容器本体内の液体の種類を識別することができる。従って、液体が例えばシャンプーであり頭髪を洗浄中に眼が泡で覆われていて、更にシャンプーを追加したいような場合でも、手探りで識別突起に触れることにより、例えばシャンプー収容のポンプ式液体吐出容器であることを、眼で見ることなく判別することができる。
【００１１】
そして、本考案に係る調節具セットは、板状本体の外周面に識別突起を有する液体吐出量調節具と、板状本体の外周面が平坦に形成されている液体吐出量調節具とから構成されているので、例えば、識別突起の有る液体吐出量調節具をシャンプー収容のポンプ式液体吐出容器に装着し、識別突起の無い液体吐出量調節具をリンス収容のポンプ式液体吐出容器に装着するといったことができる。これにより、目視に頼ることなく、手探りで所望する種類の液体が収容されたポンプ式液体吐出容器を選ぶことができる。
【図面の簡単な説明】
【００１２】
【図１】本考案の一実施形態に係る液体吐出量調節具の平面図である。
【図２】前記液体吐出量調節具の正面図である。
【図３】前記液体吐出量調節具の斜視図である。
【図４】前記液体吐出量調節具をポンプ式液体吐出容器のピストン軸に装着している途中の態様を示す部分正面図である。
【図５】前記液体吐出量調節具をポンプ式液体吐出容器のピストン軸に装着した状態を示す部分外観図である。
【図６】図５の状態に対応した一部断面を含む部分正面図である。
【図７】２種類の液体吐出量調節具を組み合わせた調節具セットの平面図である。
【考案を実施するための形態】
【００１３】
本考案の実施形態を図面に基づいて説明する。尚、以下に述べる実施形態は本考案を具体化した一例に過ぎず、本考案の技術的範囲を限定するものでない。図１は本考案の一実施形態に係る液体吐出量調節具の平面図、図２は前記液体吐出量調節具の正面図、図３は前記液体吐出量調節具の斜視図である。
各図において、この実施形態に係る液体吐出量調節具１は、エラストマーなどの軟質材料で弾性変形自由に形成された上下厚さＡの板状本体２から、主に構成されている。この板状本体２は平面視で略スペード形状に形成されている。また、板状本体２には、ポンプ式液体吐出容器１０（図５または図６参照）のピストン軸１２を挿通自在に収容するために上下貫通して形成された軸挿通用穴３と、軸挿通用穴３と板状本体２の外部Ｇとを連通するスリット部４とが形成されている。軸挿通用穴３の穴径はピストン軸１２の直径ｄよりも大きく設定されている。板状本体２の外周面２Ａには、液体吐出量調節具１が用いられるポンプ式液体吐出容器１０内の液体Ｑの種類を識別するための識別突起５，５，５，・・・が多数形成されている。スリット部４近傍の板状本体２は、スペードの剣柄の形状を模した特徴形状部２Ｃと成っている。
【００１４】
上記した構成の液体吐出量調節具１は、図５および図６に示すようなポンプ式液体吐出容器１０に用いられる。このポンプ式液体吐出容器１０は、上面開口部２２を有する有底ボトル状に形成された容器本体１１を備えている。そして、容器本体１１の上面開口部２２に嵌合される蓋筒体２１には、容器本体１１内へ配置されるポンプ部１６が垂設されている。このポンプ部１６は、蓋筒体２１の下面に垂設されたシリンダ１７と、シリンダ１７内に摺動自在に配備されたピストン１８と、下端部がピストン１８に連結され上端部がノズル１４付きのヘッド１３に連結されたピストン軸１２と、シリンダ１７の下部に配備された吸上げパイプ２０付きの逆止弁１９と、を備えている。ピストン軸１２は中空筒状に形成されており、蓋筒体２１上部の軸受部１５から上方に露出している。そして、ピストン軸１２の上下動により、容器本体１１内の液体Ｑがピストン１８および逆止弁１９の作用によって吸上げパイプ２０から汲み上げられ、ピストン軸１２内を経てヘッド１３のノズル１４から外部Ｇへ吐出されるように成っている。このポンプ式液体吐出容器１０において、液体吐出量調節具１を用いない場合、すなわちヘッド１３の下面が軸受部１５の上面に当たるまでの、ピストン軸１２の規定のストロークはＳ０（図６参照）である。
【００１５】
上記のように構成された液体吐出量調節具１の作用を次に説明する。
この液体吐出量調節具１がポンプ式液体吐出容器１０のピストン軸１２に装着されるにあたり、スリット部４を介して対面する板状本体２の部位２Ｄ，２Ｄが手などで引き離されて撓められる。これにより、図４に示すように、スリット部４の隙間がピストン軸１２の直径ｄよりも広い隙間Ｐ１に拡げられる。引き続き、外部Ｇにあったピストン軸１２が、前記のように拡げられた隙間Ｐ１のスリット部４を通されて、図５および図６に示されるように、軸挿通用穴３内に導かれる。そして、液体吐出量調節具１は軸受部１５の上面に載置される。
【００１６】
その後、シャンプーなどの液体を取り出す際には、ヘッド１３が手で押し下げられる。そのうち、ヘッド１３の下面が液体吐出量調節具１の板状本体２の上面２Ｂに当接して止まる。すなわち、１枚の液体吐出量調節具１（１）をピストン軸１２に装着した場合、ピストン軸１２のストロークはＳ１になる。このストロークＳ１は、通常のストロークＳ０と比べて１枚の液体吐出量調節具１の厚さＡぶん短くなっている。このようにピストン軸１２のストロークが短くなったので、液体吐出量調節具１はポンプ式液体吐出容器１０から吐出される液体Ｑの吐出量を少なくして節約することができる。
【００１７】
更に、１点鎖線で示すように、２枚目の液体吐出量調節具１（２）を液体吐出量調節具１（１）の上に装着した場合は、ピストン軸１２のストロークはＳ２になる。このストロークＳ２は、通常のストロークＳ０と比べて２枚の液体吐出量調節具１の厚さ（Ａ＋Ａ）ぶん短くなる。このように、液体吐出量調節具１の装着枚数を増やすことにより、必要に応じた少量の液体Ｑを吐出して使用することができる。
【００１８】
また、板状本体２の外周面２Ａに識別突起５，５，５，・・・が形成されているので、利用者が手などで識別突起５に触れるだけで、容器本体１１内の液体Ｑの種類を識別することができる。従って、液体Ｑが例えばシャンプーであって頭髪を洗浄中に眼が泡で覆われており、更にシャンプーを追加したいような場合でも、手探りで識別突起５に触れることにより、例えばシャンプー収容のポンプ式液体吐出容器１０であることを、眼で見ることなく判別することができる。
【００１９】
次に、外周面形状が異なる複数の液体吐出量調節具を組み合わせたセット物の説明を行なう。例えば、図７に示すように、調節具セットＥは、板状本体２の外周面２Ａに多数の識別突起５，５，５，・・・が形成された既述の液体吐出量調節具１と、板状本体２ａの外周面２Ａが平坦な液体吐出量調節具１ａと、の組み合わせで構成されている。前記の液体吐出量調節具１ａは、エラストマーなどの軟質材料で弾性変形自由に形成された上下厚さＡの板状本体２ａから、主に構成されている。この板状本体２ａは平面視で略ハート形状に形成されており、ハートの窪み形状を表した特徴形状部２Ｃａを有している。また、板状本体２には、液体吐出量調節具１と同様形状の軸挿通用穴３と、軸挿通用穴３と板状本体２の外部Ｇとを連通するスリット部４ａとが形成されている。尚、板状本体２ａの外周面２Ａには、液体吐出量調節具１のような識別突起５は設けられていない。
【００２０】
上記した構成の調節具セットＥは、識別突起５を有する液体吐出量調節具１と識別突起５の無い液体吐出量調節具１ａとから構成されているので、例えば識別突起５の有る液体吐出量調節具１をシャンプー収容のポンプ式液体吐出容器１に装着し、識別突起５の無い液体吐出量調節具１ａをリンス収容のポンプ式液体吐出容器に装着するといった使い方ができる。これにより、目視に頼ることなく、所望する種類の液体Ｑが収容されているポンプ式液体吐出容器１０を手探りで選ぶことができる。
【符号の説明】
【００２１】
１，１ａ  液体吐出量調節具
２，２ａ  板状本体
２Ａ  外周面
２Ｄ  部位
３    軸挿通用穴
４，４ａ  スリット部
５    識別突起
１０  ポンプ式液体吐出容器
１１  容器本体
１２  ピストン軸
１３  ヘッド
１４  ノズル
１７  シリンダ
２２  上面開口部
Ａ    厚さ
ｄ    直径
Ｅ    調節具セット
Ｇ    外部
Ｐ０，Ｐ１  間隔
Ｑ    液体
【図１】
0003193852.tif 000003
【図２】
0003193852.tif 000004
【図３】
0003193852.tif 000005
【図４】
0003193852.tif 000006
【図５】
0003193852.tif 000007
【図６】
0003193852.tif 000008
【図７】
0003193852.tif 000009